(57)【特許請求の範囲】
【請求項１】
下側に左右方向に移動するための戸車を備えた複数のガラスユニットと、
前記ガラスユニットを移動自在に支持する下レールと、
前記下レールと対向して前記ガラスユニットを支持する上レールと、
前記ガラスユニットのうち収納対象ガラスユニットを、前記上下レールのうち前記ガラスユニットと同じ横幅で切り出した移動ユニットで挟持し、前記移動ユニットを前後方向に移動させる可動部と、
前記可動部と隣接する位置で前記上下レールと平行に前記ガラスユニットと同じ横幅の上下収納レールを一定間隔ごとに複数配設した収納部と、を有し、
前記可動部は、前記収納対象ガラスユニットを前記収納部に収納させるために、前記収納対象ガラスユニットの垂立を維持したまま、前記上下収納レールのうち空きレールと並ぶ位置まで前記移動ユニットを移動させる、
ことを特徴とするガラス収納機構。
【請求項２】
前記可動部は、駆動手段と支持手段とを有し、
前記駆動手段は、前記移動ユニットの上下可動枠で前記収納対象ガラスユニットを挟持してから、前記上下可動枠を上下ずれないように前後方向に同期して移動させ、
前記支持手段は、前記上下可動枠の移動に伴い、前記上下可動枠のうち前記収納対象ガラスユニットの荷重を受ける箇所に対応する位置を支える、
ことを特徴とする請求項１に記載のガラス収納機構。
【請求項３】
前記可動部は、制御手段を有し、
前記制御手段は、前記上下収納レールの間隔を記憶しておき、前記収納部で前記ガラスユニットの収納を検知するごとに、前記収納対象ガラスユニットを載せた前記移動ユニットの移動量を当該間隔の分だけ加算する、
ことを特徴とする請求項１又は２に記載のガラス収納機構。
【請求項４】
前記可動部は、制御手段を有し、
前記制御手段は、前記上下収納レールの間隔を記憶しておき、前記収納対象ガラスユニットを載せた前記移動ユニットを前記上下収納レールと順次並ばせ、前記ガラスユニットの存在を検知したら、前記移動ユニットを当該間隔の分だけ移動させる、
ことを特徴とする請求項１又は２に記載のガラス収納機構。
【請求項５】
下側に左右方向に移動するための戸車を備えた複数のガラスユニットのうち収納対象ガラスユニットを、前記ガラスユニットを移動自在に支持する上下レールのうち前記ガラスユニットと同じ横幅で切り出した移動ユニットで挟持し、前記収納対象ガラスユニットの垂立を維持したまま、前記移動ユニットを前後方向に移動させる移動ステップと、
前記移動ステップ後に、前記移動ユニットと隣接する位置で前記上下レールと平行に前記ガラスユニットと同じ横幅で一定間隔ごとに複数配設された上下収納レールのうち、空きレールと並ぶ位置まで移動した前記移動ユニットから前記収納対象ガラスユニットを収納する収納ステップと、を有し、
前記移動ステップは、前記移動ユニットの上下可動枠で前記収納対象ガラスユニットを挟持してから、前記上下可動枠を上下ずれないように前後方向に同期させ、前記上下可動枠のうち前記収納対象ガラスユニットの荷重を受ける箇所に対応する位置を支えながら移動する、
ことを特徴とするガラス収納方法。
【請求項６】
前記移動ステップは、前記上下収納レールの間隔を記憶しておき、前記ガラスユニットの収納を検知するごとに、前記収納対象ガラスユニットを載せた前記移動ユニットの移動量を当該間隔の分だけ加算する、
ことを特徴とする請求項５に記載のガラス収納方法。
【請求項７】
前記移動ステップは、前記上下収納レールの間隔を記憶しておき、前記収納対象ガラスユニットを載せた前記移動ユニットを前記上下収納レールと順次並ばせ、前記ガラスユニットの存在を検知したら、前記移動ユニットを当該間隔の分だけ移動させる、
ことを特徴とする請求項５に記載のガラス収納方法。
【発明の詳細な説明】
【技術分野】
【０００１】
本発明は、自動車ショールームにアウターガラスとインナーガラスからなるダブルスキンのガラスユニットを用いた場合に、その複数配置されたガラスユニットを収納するシステムに関する。
【背景技術】
【０００２】
自動車を展示するショールームのある店舗では、店舗外からの視認性を良くするために店舗表面をガラス張りにしている。ガラス張りの店舗は開放感があり、自然光により明るさを取り入れるので、店舗内での照明の使用を抑えられる。また、展示品の自然な色合いを見せるのにも適している。しかしながら、ガラス張りの店舗は熱が出入りしやすく、店舗内を適温に維持するために熱が有効活用されていないという点で熱効率が悪い。さらに、熱効率の悪い店舗では、冷暖房機器の効果も弱くなるのでエネルギー効率も悪い。
【０００３】
そのため、特許文献１に記載されているように、２枚の板ガラスの間に空気層を設けた複層ガラスにより構成されたガラスユニットを、既存のガラスの内側に設置することにより、店舗の外観を維持しつつガラス張りの店舗の熱効率を改善するダブルガラススキン用のインナーガラススキン構造の発明も開示されている。ガラスユニットは、複層ガラスによって店舗内外の熱の出入りを抑えると共に、空気層の空気を、夏の暑い時期は店舗外に排出し、冬の寒い時期は店舗内に取り込むことで、熱を有効活用している。
【０００４】
ガラスユニットによって熱効率を向上させても、ガラスユニットの枠材によって店舗の視認性が阻害されてしまっては意味がない。すなわち、並べたガラスユニットの境界が分かりにくく、ガラスユニット自体の存在が認識されづらいのが好ましい。特許文献１に記載の発明では、ガラスユニットを並べて配置したときに、気密性を保持するのに必要最小限の大きさで枠材が付される。
【０００５】
なお、ガラスユニットの配置は、上方から吊り下げるのが倒れづらく安全性の面では好ましいが、小さい枠材では吊り下げるのに必要な部材を取り付けることができない。また、重量のあるガラスユニットを吊り下げたときの荷重は店舗が受けることになるので、店舗自体の構造的な強度も必要である。そのため、特許文献１に記載の発明では、枠材の小さいガラスユニットを下レールと上レールの間に挟み込んで支持し、その荷重は下レールで受けている。これにより、ガラスユニットの枠材を小さくすることが可能であり、ガラスが占める割合を大きくすることにより、店舗の視認性を良くし、展示品を綺麗に見せている。
【０００６】
熱効率が良く視認性も確保されたガラスユニットにより外気の影響が抑えられるので、ガラスユニットの近辺でも店舗内部と同様に使用することができるものの、ガラスユニットの設置自体が店舗の有効スペースを減少させているのに変わりはない。そのため、春や秋のように外気の影響が小さい時期や、ショールームでイベント等を行うためにスペースを広く使用したい場合には、ガラスユニットを全開させる。また、既存のガラスの清掃などメンテナンスの際にも、ガラスユニットが開かないと不便である。
【０００７】
ガラスユニットを全開させた際は、ガラスユニットを重ねて収納しておく。ガラスユニットの下面に戸車を設けておくことにより、下レールに沿って左右方向に移動させることは容易である。しかしながら、ガラスユニットを平行に重ねるために、前後方向に移動させることには問題がある。ガラスユニットが上下方向において常に垂直を保って移動していないと、ガラスユニットが前後に傾いて倒れるおそれがある。なお、特許文献２には、収納部においてガラスを載せるレールを同期並行移動させる駆動機構を備えた展示ケースの発明も開示されている。
【先行技術文献】
【特許文献】
【０００８】
【特許文献１】特開２０１３−１９９７６８号公報
【特許文献２】特公平７−５５１７５号公報
【発明の概要】
【発明が解決しようとする課題】
【０００９】
しかしながら、特許文献２に記載の発明においては、小さな展示物を収容する展示ケースのガラスを対象としており、ガラス張りの店舗の大きな重量のあるガラスを想定していない。すなわち、特許文献２に記載の発明では、上下レールを同期移動させているものの、駆動機構上を移動するレールにガラスを載せたまま収納するので、全てのガラスの荷重が駆動機構に対して常に掛かってしまい、駆動機構を構成する各部材にとって負担が非常に大きく、耐久性に問題がある。なお、収納用のレールが駆動機構によって移動し、常に固定されている訳ではないので、大きく重量のあるガラスを収納するのに安全とは言えない。
【００１０】
そこで、本発明は、大きく重量のある複数のガラスユニットを安全に収納することのできるガラス収納機構を提供することを目的とする。
【課題を解決するための手段】
【００１１】
上記の課題を解決するために、本発明であるガラス収納機構は、下側に左右方向に移動するための戸車を備えた複数のガラスユニットと、前記ガラスユニットを移動自在に支持する下レールと、前記下レールと対向して前記ガラスユニットを支持する上レールと、前記ガラスユニットのうち収納対象ガラスユニットを、前記上下レールのうち前記ガラスユニットと同じ横幅で切り出した移動ユニットで挟持し、前記移動ユニットを前後方向に移動させる可動部と、前記可動部と隣接する位置で前記上下レールと平行に前記ガラスユニットと同じ横幅の上下収納レールを一定間隔ごとに複数配設した収納部と、を有し、前記可動部は、前記収納対象ガラスユニットを前記収納部に収納させるために、前記収納対象ガラスユニットの垂立を維持したまま、前記上下収納レールのうち空きレールと並ぶ位置まで前記移動ユニットを移動させる、ことを特徴とする。
【００１２】
また、前記可動部は、駆動手段と支持手段とを有し、前記駆動手段は、前記移動ユニットの上下可動枠で前記収納対象ガラスユニットを挟持してから、前記上下可動枠を上下ずれないように前後方向に同期して移動させ、前記支持手段は、前記上下可動枠の移動に伴い、前記上下可動枠のうち前記収納対象ガラスユニットの荷重を受ける箇所に対応する位置を支える、ことを特徴とする。
【００１３】
また、前記可動部は、制御手段を有し、前記制御手段は、前記上下収納レールの間隔を記憶しておき、前記収納部で前記ガラスユニットの収納を検知するごとに、前記収納対象ガラスユニットを載せた前記移動ユニットの移動量を当該間隔の分だけ加算する、ことを特徴とする。
【００１４】
また、前記可動部は、制御手段を有し、前記制御手段は、前記上下収納レールの間隔を記憶しておき、前記収納対象ガラスユニットを載せた前記移動ユニットを前記上下収納レールと順次並ばせ、前記ガラスユニットの存在を検知したら、前記移動ユニットを当該間隔の分だけ移動させる、ことを特徴とする。
【００１５】
本発明であるガラス収納方法は、下側に左右方向に移動するための戸車を備えた複数のガラスユニットのうち収納対象ガラスユニットを、前記ガラスユニットを移動自在に支持する上下レールのうち前記ガラスユニットと同じ横幅で切り出した移動ユニットで挟持し、前記収納対象ガラスユニットの垂立を維持したまま、前記移動ユニットを前後方向に移動させる移動ステップと、前記移動ステップ後に、前記移動ユニットと隣接する位置で前記上下レールと平行に前記ガラスユニットと同じ横幅で一定間隔ごとに複数配設された上下収納レールのうち、空きレールと並ぶ位置まで移動した前記移動ユニットから前記収納対象ガラスユニットを収納する収納ステップと、を有し、前記移動ステップは、前記移動ユニットの上下可動枠で前記収納対象ガラスユニットを挟持してから、前記上下可動枠を上下ずれないように前後方向に同期させ、前記上下可動枠のうち前記収納対象ガラスユニットの荷重を受ける箇所に対応する位置を支えながら移動する、ことを特徴とする。
【００１６】
また、前記移動ステップは、前記上下収納レールの間隔を記憶しておき、前記ガラスユニットの収納を検知するごとに、前記収納対象ガラスユニットを載せた前記移動ユニットの移動量を当該間隔の分だけ加算する、ことを特徴とする。
【００１７】
また、前記移動ステップは、前記上下収納レールの間隔を記憶しておき、前記収納対象ガラスユニットを載せた前記移動ユニットを前記上下収納レールと順次並ばせ、前記ガラスユニットの存在を検知したら、前記移動ユニットを当該間隔の分だけ移動させる、ことを特徴とする。
【発明の効果】
【００１８】
以上の構成にしたことにより、本発明であるガラス収納機構は、複数のガラスユニットを安全に収納することができる。また、ガラスユニットを前後移動させる可動部と、ガラスユニットを収納する収納部とを分けているので、可動部に掛かる負担を軽減することができる。
【図面の簡単な説明】
【００１９】
【図１】本発明であるガラス収納機構を備えたガラス開口面の斜視図である。
【図２】本発明であるガラス収納機構を拡大した斜視図である。
【図３】本発明であるガラス収納機構を備えたガラス開口面の（ａ）平面図、（ｂ）正面図、及び（ｃ）側面図である。
【図４】本発明であるガラス収納機構を拡大した平面図である。
【図５】本発明であるガラス収納機構の図４におけるＡ面で切断した断面図である。
【図６】本発明であるガラス収納機構の図４におけるＢ面で切断した断面図である。
【図７】本発明であるガラス収納機構の図４におけるＣ面で切断した断面図である。
【図８】本発明であるガラス収納機構の収納手順を示す図である。
【図９】本発明であるガラス収納機構の（ａ）６枚収納時と（ｂ）全収納時の状態を示す図である。
【発明を実施するための形態】
【００２０】
以下に、本発明の実施形態について図面を参照して詳細に説明する。なお、同一機能を有するものは同一符号を付け、その繰り返しの説明は省略する場合がある。本発明は、自動車ショールーム用ダブルスキンシステムとして、アウターガラスとインナーガラスからなるダブルスキンのガラスユニットを用いた場合に、その複数配置されたガラスユニットを収納するためのガラス収納機構又はガラス収納方法に関する発明である。
【実施例１】
【００２１】
まず、本発明であるガラス収納機構の設置及び全体構造について説明する。図１は、本発明であるガラス収納機構を備えたガラス開口面の斜視図である。図２は、本発明であるガラス収納機構を拡大した斜視図である。図３は、本発明であるガラス収納機構を備えたガラス開口面の（ａ）平面図、（ｂ）正面図、及び（ｃ）側面図である。図４は、本発明であるガラス収納機構を拡大した平面図である。
【００２２】
図１から図４に示すように、ガラス収納機構１００は、下側に左右方向に移動するための戸車を備えた複数のガラスユニット２００と、ガラスユニット２００を移動自在に支持する下レール３００と、下レール３００と対向してガラスユニット２００を支持する上レール３０１と、ガラスユニット２００のうち収納対象ガラスユニットを、上下レール３００、３０１のうちガラスユニット２００と同じ横幅で切り出した移動ユニット６００で挟持し、移動ユニット６００を前後方向に移動させる可動部５００と、可動部５００と隣接する位置で上下レール３００、３０１と平行にガラスユニット２００と同じ横幅の上下収納レール４１０、４１１を一定間隔ごとに複数配設した収納部４００と、を有する。なお、可動部５００は、収納対象ガラスユニットを収納部４００に収納させるために、収納対象ガラスユニットの垂立を維持したまま、上下収納レール４１０、４１１のうち空きレールと並ぶ位置まで移動ユニット６００を移動させる。
【００２３】
ガラス収納機構１００は、ガラス張りの店舗の熱効率を改善するために、図３（ａ）平面図及び（ｃ）側面図に示すように、既存の外ガラス２０１（アウターガラス）の内側に複数のガラスユニット２００（インナーガラス）を横（左右方向）に並べて配置したときに、縦（前後方向）に重ねて収納するための仕組みである（ダブルスキン）。なお、ガラスユニット２００（アウターガラス）を既存の外ガラス２０１（インナーガラス）の外側に配置しても良いし（ダブルスキン）、店舗を新築又は改築する際に外ガラス２０１に代えてガラスユニット２００を設置しても良い（シングルスキン）。
【００２４】
図１に示すように、複数のガラスユニット２００は、下レール３００と上レール３０１との間に挟み込んで、上下レール３００、３０１に沿って面一に並べられる。上下レール３００、３０１のうち、左端に下収納部４００及び上収納部４０１を設けてガラスユニット２００の収納領域を作り、上下収納部４００、４０１の右隣に下可動部５００及び上可動部５０１を設けてガラスユニット２００を前後方向へスライド移動させるための領域を作る。
【００２５】
図１又は図３（ｂ）正面図に示すように、横長に広く開放されたガラス開口面に対し、縦長のガラスユニット２００を複数枚用意して横方向に並べて配置する。ガラスユニット２００は、断熱性のある２枚の板ガラスの間に空気層を設けた複層ガラスを使用し、下側に左右方向に移動するための戸車を備える。なお、複層ガラスの空気層には、空気以外の気体が封入されていても良いし、真空状態であっても良い。また、ガラスユニット２００は大きく重量があるので、複層ガラスに代えて単板ガラスを使用しても良い。
【００２６】
ガラスユニット２００には剛性があり変形しにくいので、ガラスユニット２００の周りを大きな枠材で囲んで隙間をシールする必要はなく、ガラスユニット２００の縁に金属等で小さな枠材を取り付けるだけで良い。ガラスユニット２００の枠材を小さくしても、隣接するガラスユニット２００との気密性が得られ、また、ガラスユニット２００の境界が分かりづらくなるので、店舗内部の視認性も向上する。
【００２７】
ガラスユニット２００は、安全面を考慮すると上方から吊り下げた方が倒れづらくなるが、店舗に全てのガラスユニット２００の荷重を掛けることになる。また、ガラスユニット２００の枠材が小さいと、吊り下げるための部材を取り付けることができない。そのため、ガラスユニット２００は、上下レール３００、３０１の間に挟み込むことにより支持し、ガラスユニット２００の荷重は下側で受ける。
【００２８】
図１又は図３（ｂ）正面図に示すように、下レール３００は、ガラス開口面の下側である床面に沿って敷設される。下レール３００は、上側の空いたコの字状など溝型の形状であり、ガラスユニット２００の下部が嵌め込まれる。同様に、上レール３０１は、ガラス開口面の上側である天井面に沿って敷設される。上レール３０１は、下側の空いたコの字状など溝型の形状であり、ガラスユニット２００の上部が嵌め込まれる。下レール３００と上レール３０１とは、お互いに空いた溝側が対向しており、手前又は奥の前後方向にずれはなく、ガラスユニット２００を上下から挟み込んで上下レール３００、３０１から外れないように支持する。
【００２９】
また、ガラスユニット２００は、上下レール３００、３０１に沿って、ガラス開口面の左端から右端まで横方向に移動する。そのため、ガラスユニット２００の下側には、移動を支援するための戸車２１０（図５参照）が設置される。戸車２１０は、ガラスユニット２００をスムーズに移動させるための滑車などである。ガラスユニット２００は、戸車２１０により下レール３００上を自在に移動する。上下レール３００、３０１は、ガラスユニット２００を支持する共に、ガラスユニット２００の走行通路となる。
【００３０】
上下レール３００、３０１の一部を共有する形で、上下収納部４００、４０１及び上下可動部５００、５０１が設けられる。なお、上下収納部４００、４０１と、上下可動部５００、５０１との間で、ガラスユニット２００が受け渡しされることから、上下収納部４００、４０１と、上下可動部５００、５０１とは、隣接した位置に設けられる。
【００３１】
下収納部４００は、例えば下レール３００の端側に設けられる。図２、図３（ａ）平面図又は図４に示すように、下収納部４００には、下レール３００と平行に、前後方向に複数の下収納レール４１０が一定間隔ごとに配置される。下収納レール４１０は、下レール３００と同じ形状で、ガラスユニット２００を１枚収納できるようにガラスユニット２００の横幅で設ける。同様に、上収納部４０１は、例えば上レール３０１の端側に設けられる。上収納部４０１には、上レール３０１と平行に、前後方向に複数の上収納レール４１１（図６又は図７を参照）が一定間隔ごとに配置される。上収納レール４１１は、上レール３０１と同じ形状で、ガラスユニット２００を１枚収納できるようにガラスユニット２００の横幅で設ける。
【００３２】
上下収納レール４１０、４１１は、少なくともガラス開口面に並べられるガラスユニット２００の枚数分又はそれ以上設置する。下収納レール４１０とそれに対応する上収納レール４１１とは、手前又は奥の前後方向においてズレはなく、収納時のガラスユニット２００を上下から支持する。なお、上下収納部４００、４０１を、上下レール３００、３０１の左端側において後方に向かって配列した場合、図４に示すように、上下レール３００、３０１の左端側が、最前面の上下収納レール４１０、４１１を兼ね、左端側のガラスユニット２００は上下レール３００、３０１上に収納することになる。
【００３３】
下可動部５００は、例えば下収納部４００の隣側に設けられる。図２、図３（ａ）平面図又は図４に示すように、下可動部５００には、中溝５１０及び左右の脇溝５１１に沿って、下レール３００の一部を前後方向にスライド移動させる機構が設置される。同様に、上可動部５０１は、例えば上収納部４０１の隣側に設けられる。上可動部５０１には、中溝５１０及び左右の脇溝５１１に沿って、上レール３０１の一部を前後方向にスライド移動させる機構が設置される。
【００３４】
なお、図４に示すように、上下レール３００、３０１のうち、上下可動部５００、５０１によってスライド移動する部分を移動ユニット６００とする。上下収納部４００、４０１を上下レール３００、３０１の左端側に設け、上下可動部５００、５０１を上下収納部４００、４０１の右隣りに設けた場合、左端側から２番目のガラスユニット２００を支持する上下レール３００、３０１が、移動ユニット６００を兼ねる。下レール３００のうち移動ユニット６００となる下可動枠と、上レール３０１のうち移動ユニット６００となる上可動枠とは、お互いに対向しており、スライド移動時においても同期して、手前又は奥の前後方向にずれはないので、移動ユニット６００で保持しているガラスユニット２００は倒れない。
【００３５】
移動ユニット６００は、上下レール３００、３０１の連続性を切断して、前後方向へのスライド移動を行うが、上下レール３００、３０１の一部として他の上下レール３００、３０１と繋がっている場合は、ガラスユニット２００の左右方向への移動を可能にする。移動ユニット６００は、ガラスユニット２００が左右方向へ移動しないように固定した状態で前後方向へ移動し、いずれかの上下収納レール４１０、４１１と通路を繋げる。ガラスユニット２００がいずれかの上下収納レール４１０、４１１に収納されたら、移動ユニット６００は、上下レール３００、３０１と通路が連続する位置に戻る。
【００３６】
上下可動部５００、５０１によって、上下レール３００、３０１に沿って左右方向に一列に並んでいた複数のガラスユニット２００が、上下収納部４００、４０１において、前後方向に重なるように配置される。ガラスユニット２００は戸車２１０によって上下レール３００、３０１に沿ってスムーズに移動し、上下可動部５００、５０１によって、上下収納レール４１０、４１１のうち空き位置へ誘導されるので、上下収納部４００、４０１への収納も容易である。
【００３７】
次に、本発明であるガラス収納機構の収納部及び可動部の詳細な構造について説明する。図５は、本発明であるガラス収納機構の図４におけるＡ面で切断した断面図である。図６は、本発明であるガラス収納機構の図４におけるＢ面で切断した断面図である。図７は、本発明であるガラス収納機構の図４におけるＣ面で切断した断面図である。なお、図４は下収納部４００及び下可動部５００を示しているが、図５〜図７の各断面図においては、中間部を一部省略した上で、上収納部４０１及び上可動部５０１を含めて示す。
【００３８】
主に、移動制御を行う上下可動部５００、５０１について説明し、上下収納部４００、４０１については補助的に説明する。図５及び図６に示すように、下可動部５００の中溝５１０の下側には電動スライド装置５２０が内蔵される。電動スライド装置５２０は、中溝５１０に沿うように張られたレール上にスライダー５３０を走行可能に設置したもので、電気などを動力として上下の同期を取りながらスライダー５３０を前後方向に水平移動させる駆動手段である。なお、動力はモータ５５０等の電気エネルギーを機械エネルギーに変換するものを利用しても良いし、それ以外のものを利用しても良い。
【００３９】
スライダー５３０には、電動スライド装置５２０と移動ユニット６００を連結すると共に、ガラスユニット２００が挟持された移動ユニット６００の荷重を支えるための支持台５４０が取り付けられる。支持台５４０は、Ｈ型鋼のようなエの字状の金属等の頑丈な部材であり、下端側はスライダー５３０が接続され、電動スライド装置５２０側から中溝５１０を通して移動ユニット６００側に出て、上端側は移動ユニット６００に接続される。支持台５４０は、スライダー５３０と共に移動し、移動ユニット６００を前後方向に移動させる。
【００４０】
また、図５及び図７に示すように、下可動部５００の脇溝５１１の下側にはスライド装置５２１が内蔵される。スライド装置５２１は、脇溝５１１に沿うように張られたレール上にスライダー５３１を走行可能に設置したもので、スライダー５３１を前後方向に水平移動させる際に、移動ユニット６００の荷重を支える支持手段である。スライド装置５２１は、移動ユニット６００のうち特にガラスユニット２００の荷重が掛かる戸車２１０の載る箇所に対応する位置を支持する。
【００４１】
スライダー５３１には、スライド装置５２１と移動ユニット６００を連結すると共に、ガラスユニット２００が挟持された移動ユニット６００の荷重を支えるための支持台５４１が取り付けられる。支持台５４１は、Ｈ型鋼のようなエの字状の金属等の頑丈な部材であり、下端側はスライダー５３１が接続され、スライド装置５２１側から脇溝５１１を通して移動ユニット６００側に出て、上端側は移動ユニット６００に接続される。支持台５４１は、スライダー５３１と共に移動し、移動ユニット６００も前後方向に移動する。
【００４２】
電動スライド装置５２０は、動力によりスライダー５３０が自ら走行することにより移動ユニット６００を移動させるが、スライド装置５２１は、電動スライド装置５２０が移動させた移動ユニット６００に引かれてスライダー５３１が走行する。すなわち、スライド装置５２１は、電動スライド装置５２０の補助レールとして機能し、移動ユニット６００がスムーズに移動できるようにサポートする。
【００４３】
下可動部５００と同様に、上可動部５０１の中溝５１０の上側には電動スライド装置５２０が内蔵される。上可動部５０１の電動スライド装置５２０は、下可動部５００の電動スライド装置５２０と連動して移動ユニット６００を前後方向に移動させる。また、下可動部５００と同様に、上可動部５０１の脇溝５１１の上側にはスライド装置５２１が内蔵される。上可動部５０１のスライド装置５２１は、下可動部５００のスライド装置５２１と共に移動ユニット６００の移動をサポートする。
【００４４】
図６及び図７に示すように、移動ユニット６００の下可動枠６１０は、下レール３００のうち下可動部５００を通る部分をガラスユニット２００の横幅で切り出したものであり、ガラスユニット２００をガラス開口面に配置しているときは、下レール３００と一直線上の位置にあり、下レール３００と通路が繋がる。ガラスユニット２００を収納する場合は、移動ユニット６００を下レール３００に対し平行移動させ、複数の下収納レール４１０のうちいずれかと通路を繋げる。なお、複数の下収納レール４１０は、下可動枠６１０の隣側の下収納部４００に配列されている。例えば、下レール３００の１つ隣りの下収納レール４１０が空いていれば、下可動枠６１０を空きレールと繋がる位置まで移動させれば良い。
【００４５】
また、移動ユニット６００の上可動枠６１１は、上レール３０１のうち上可動部５０１を通る部分をガラスユニット２００の横幅で切り出したものであり、ガラスユニット２００をガラス開口面に配置しているときは、上レール３０１と一直線上の位置にあり、上レール３０１と通路が繋がる。ガラスユニット２００を収納する場合は、移動ユニット６００を上レール３００に対し平行移動させ、複数の上収納レール４１１のうちいずれかと通路を繋げる。なお、複数の上収納レール４１１は、上可動枠６１１の隣側の上収納部４０１に配列されている。例えば、上レール３０１の１つ隣りの上収納レール４１１が空いていれば、上可動枠６１１を空きレールと繋がる位置まで移動させれば良い。
【００４６】
上下可動部５００、５０１において、移動ユニット６００の前後方向への同期移動に、電動スライド装置５２０及びスライド装置５２１を用いることにより、上下収納部４００、４０１へのガラスユニット２００の収納を自動化又は半自動化する。これにより、上下レール３００、３０１に沿って並ぶガラスユニット２００を順次移動ユニット６００に載せるだけで、上下収納部４００、４０１の空きレールへ正確にかつ安全に移動させることができる。
【実施例２】
【００４７】
次に、本発明であるガラス収納機構における収納方法について説明する。図８は、本発明であるガラス収納機構の収納手順を示す図である。図９は、本発明であるガラス収納機構の（ａ）５枚収納時と（ｂ）全収納時の状態を示す図である。ガラス収納機構１００は、さらに上下可動部５００、５０１を自動化又は半自動化するための制御部を有する。
【００４８】
制御部は、プロセッサ（処理装置）、メモリ（記憶装置）、Ｉ／Ｏ（入出力装置）などを備えるコンピュータ等の制御手段である。制御部は、上下可動部５００、５０１などに内蔵されていても良いし、別装置で制御するようにしても良い。制御部を別装置にした場合は、有線で制御命令を出しても良いし、無線通信により制御命令を送受信しても良い。
【００４９】
プロセッサは、制御プログラムに基づいて制御命令を実行するハードウェアである。プロセッサは、メモリに記憶された制御プログラムから制御命令を逐次読み込んで、ガラスユニット２００を収納するための処理を実行する。制御プログラムの実行に伴い、他のハードウェア等からデータを入力したり、他のハードウェアにデータを出力したりもする。
【００５０】
メモリは、プロセッサが処理可能なデータを長期的又は一時的に記憶するハードウェアである。メモリには、制御プログラムが記録され、制御プログラムの実行に必要なデータが記録される。また、メモリは、制御プログラムの実行に際して作業領域として使用される。メモリは、プロセッサに内蔵されていても良いし、着脱可能な記録媒体の形式としても良い。
【００５１】
Ｉ／Ｏは、プロセッサにデータを入力するハードウェアや、プロセッサからデータを出力されるハードウェアである。入力の例としては、ガラスユニット２００の位置を確認するセンサーなどがある。出力の例としては、ガラスユニット２００を前後方向にスライド移動させる移動ユニット６００などがある。Ｉ／Ｏとプロセッサとは、有線又は無線によりデータが送受信されれば良い。
【００５２】
図８（ａ）に示すように、ガラス開口面にガラスユニット２００が配置されている状態から、ガラスユニット２００を上下収納部４００、４０１に収納する際に、制御部が実行する手順を説明する。なお、収納時以外に、下収納部４００及び下可動部５００にカバー４５０を被せている場合は、カバー４５０を取り外して、下収納部４００及び下可動部５００を露出させる。また、上下収納部４００、４０１の空きレールを特定するために、予め上下収納レール４１０、４１１の間隔をメモリに記憶しておく。
【００５３】
図８（ｂ）に示すように、下レール３００の左端に下収納部４００が設けられていることから、下レール３００の左端に配置されているガラスユニット２００は、そのままの位置に収納される。下可動部５００は下収納部４００の右隣に設けられており、下レール３００のうち、左端から２番目に配置されるガラスユニット２００を支持する部分が移動ユニット６００となる。
【００５４】
操作者が店舗内の壁面等に設けられたボタン等を操作することにより、制御部が収納開始の指示を受け付けると、制御部は、移動ユニット６００にガラスユニット２００が載っているのを載置用センサー等で検知させることによって確認し、移動ユニット６００にガラスユニット２００が左右方向に移動しないように固定させる。さらに、制御部は、メモリに記憶しておいた間隔に基づいて移動ユニット６００の移動量を算出し、下収納部４００のうち前から２番目の収納レール４１０と並ぶ位置まで移動ユニット６００を前後方向にスライド移動させる。そして、制御部は、移動ユニット６００にガラスユニット２００の固定を解除させる。
【００５５】
図８（ｃ）に示すように、操作者が移動ユニット６００上のガラスユニット２００を手動で収納レール４１０に移動させる。制御部は、ガラスユニット２００が収納レール４１０に収納されたことを収納用センサー等で検知させることによって確認する。そして、図８（ｄ）に示すように、制御部は、下レール３００と並ぶ位置まで移動ユニット６００を前後方向にスライド移動させる。
【００５６】
図８（ｅ）に示すように、操作者が左端から３番目に配置されていたガラスユニット２００を手動で左右方向に移動させ、移動ユニット６００の上に載せる。図８（ｆ）に示すように、制御部は、移動ユニット６００にガラスユニット２００が載っているのを載置用センサー等で検知することによって確認し、移動ユニット６００にガラスユニット２００が左右方向に移動しないように固定させる。さらに、制御部は、メモリに記憶しておいた間隔の分だけ移動ユニット６００の移動量を加算することで、下収納部４００のうち前から３番目の収納レール４１０と並ぶ位置まで移動ユニット６００を前後方向にスライド移動させる。そして、制御部は、移動ユニット６００にガラスユニット２００の固定を解除させる。
【００５７】
この次は図８（ｃ）と同様の手順を行う。このように、上記手順を繰り返して、全てのガラスユニット２００を順次収納する。なお、図９（ａ）に示すように、ガラス開口面にガラスユニット２００が１０枚配置されていた状態から、６番目のガラスユニット２００を下収納部４００に収納する段階においては、ガラスユニット２００を順次左方向に送りながら収納するので、右側の５枚分がオープンとなる。また、図９（ｂ）に示すように、最後の１０番目のガラスユニット２００を下収納部４００に収納する段階においては、ガラスユニット２００が全て下収納部４００に収納され、ガラス開口面は外ガラス２０１のみとなる。
【００５８】
当該収納方法においては、ガラスユニット２００の移動について、移動が容易な左右方向へは操作者が手動により行い、移動が困難な前後方向へは制御部が電動により行う。なお、上下可動部５００、５０１における移動ユニット６００の動作には、ステッピングモータ等を用いれば良い。制御部は、ガラスユニット２００が上下収納部４００、４０１に収納されるごとに収納用センサーで検知し、前回ガラスユニット２００を収納した位置から一定量増加させた移動量にしていくことにより、次の空きレールの位置へ移動するように制御する。
【００５９】
すなわち、制御部は、ガラスユニット２００の収納を検知するごとに移動ユニット６００の移動量を上下収納レール４１０、４１１の分だけ増加させていけば良い。これにより、操作者は、複数の大きなガラスユニット２００であっても、戸車２１０の補助によって左右方向にのみ移動させれば良く、それと垂直方向である前後方向への移動は、上下可動部５００、５０１によって自動的に移動させることにより、ガラスユニット２００の収納作業を容易かつ安全に行うことができる。
【００６０】
以上、本発明の実施例を述べたが、これらに限定されるものではない。例えば、上下可動部５００、５０１において、中溝５１０に電動スライド装置５２０を設置し、脇溝５１１にスライド装置５２１を設置する構造に限られる訳ではなく、図８に示すように、中溝５１０を設けず、脇溝５１１に電動スライド装置５２０を設置するようにしても良い。すなわち、溝の数やどの溝に対して電動スライド装置５２０を設置するか否かは任意である。
【００６１】
また、制御部が移動ユニット６００を上下収納部４００、４０１のうち空いている上下収納レール４１０、４１１に合う位置に移動させる際に、ステッピングモータ等で移動量を一定量ずつ増加させる方法に限られる訳ではない。例えば、移動ユニット６００を前後方向に移動させながら、空き位置用センサーで順番に上下収納レール４１０、４１１の空きを確認し、空きレールに合う位置まで移動させる方法にしても良い。
【００６２】
すなわち、制御部は、上下収納レール４１０、４１１の間隔を予めメモリ等に記憶することで把握しておき、移動ユニット６００が隣接する上下収納レール４１０、４１１にガラスユニット２００が収納されているか否かを空き位置センサーで確認し、ガラスユニット２００が存在したら移動ユニット６００を間隔の分だけ移動させることを繰り返す。
【００６３】
以上のように、ガラス収納機構１００は、移動させづらいガラスユニット２００の前後方向への移動を上下可動部５００、５０１で行うことにより、上下収納部４００、４０１へ順次収納することが、大きなガラスユニット２００であっても容易かつ安全になる。ガラス収納機構１００によってガラスユニット２００の前後方向への移動が補助されることで、操作者の作業負担が軽減されると共に、収納機能と可動機能を別にすることで、駆動手段を有する上下可動部５００、５０１に、常にガラスユニット２００の荷重が掛かる訳ではないので、上下可動部５００、５０１の耐久負担も軽減される。
【００６４】
本発明は、自動車のショールームだけでなく、その他のショールームにも適用することができる。また、ショールームだけでなく、ガラス張りであれば様々な建築物に対して適用することができる。インナーガラスとアウターガラスとからなるダブルスキン構造にすることにより、スペースや視認性を考慮して必要に応じ、ダブルスキンにもシングルスキンにも変更することが可能である。
【符号の説明】
【００６５】
１００：ガラス収納機構
２００：ガラスユニット
２０１：外ガラス
２１０：戸車
３００：下レール
３０１：上レール
４００：下収納部
４０１：上収納部
４１０：下収納レール
４１１：上収納レール
４５０：カバー
５００：下可動部
５０１：上可動部
５１０：中溝
５１１：脇溝
５２０：電動スライド装置
５２１：スライド装置
５３０：スライダー
５３１：スライダー
５４０：支持台
５４１：支持台
５５０：モータ
６００：移動ユニット
６１０：下可動枠
６１１：上可動枠
【図１】
0006296555.tif 000002
【図２】
0006296555.tif 000003
【図３】
0006296555.tif 000004
【図４】
0006296555.tif 000005
【図５】
0006296555.tif 000006
【図６】
0006296555.tif 000007
【図７】
0006296555.tif 000008
【図８】
0006296555.tif 000009
【図９】
0006296555.tif 000010